(57)【要約】【課題】  装置構成を複雑にすることなく、適切な直間比表現された音響信号を出力することができると共に、臨場感のある音場を再現することができる音声調整回路および音声調整卓を提供する。【解決手段】  入力された音響信号にデジタル信号処理を施して出力する音声調整回路１であって、ヘッドアンプ３と、イコライザ５と、フェーダ７と、距離フィルタ９と、直接音側可変減衰器１１と、反射音側可変減衰器１３と、リバーブ回路１５と、混合回路１７と、音響信号記憶メモリ１９と、制御素子２１と、を備えた。【選択図】      図１
2005221792.tif 000002
【特許請求の範囲】
【請求項１】
音源から発せられた直接音とこの直接音が反射された間接音とを出力する音声調整回路であって、
前記音源から聴取者までの距離感に応じて、前記直接音である音響信号の高域を減衰させる距離感制御手段と、
この距離感制御手段で高域が減衰された高域減衰音響信号を減衰させ、前記直接音とする直接音側減衰器と、
この直接音側減衰器で減衰された直接音側減衰音響信号を減衰させる間接音側減衰器と、
この間接音側減衰器で減衰された間接音側減衰音響信号から前記間接音を生成する間接音生成手段と、
を備えることを特徴とする音声調整回路。
【請求項２】
音源から発せられた直接音とこの直接音が反射された間接音とを出力する音声調整回路であって、
前記直接音である音響信号を減衰させる直接音側減衰器と、
前記間接音となる音響信号を減衰させる間接音側減衰器と、
この間接音側減衰器の出力である音響信号から前記間接音を生成する間接音生成手段と、
前記直接音である音響信号を前記間接音側減衰器に入力させるための分岐回路とを備え、
前記分岐回路の前段の経路に、前記音源から聴取者までの距離感に応じて、前記音響信号の高域を減衰させる距離感制御手段を設けたことを特徴とする音声調整回路。
【請求項３】
前記音源と前記聴取者との距離が予め設定した距離よりも近い近距離を示す場合に、前記距離感制御手段と前記直接音側減衰器と前記間接音側減衰器との出力を連動させる連動出力手段を備えることを特徴とする請求項２に記載の音声調整回路。
【請求項４】
入力された音響信号にデジタル信号処理を施して出力する音声調整卓であって、
任意の音源で発生された直接音である音響信号を入力する入力手段と、
この入力手段によって入力された音響信号の高域を減衰させることによって、前記音源から聴取者まで距離感を制御する距離感制御手段と、
この距離感制御手段で距離感の制御された音響信号を、直接音として減衰する直接音側減衰手段と、
前記距離感制御手段で距離感の制御された音響信号を、間接音として減衰する間接音側減衰手段と、
前記直接音である音響信号を前記間接音側減衰器に入力させるための分岐回路と、
を備えることを特徴とする音声調整卓。
【請求項５】
前記間接音側減衰手段で減衰された音響信号から間接音である間接音信号を生成する間接音生成手段を備えたことを特徴とする請求項４に記載の音声調整卓。
【請求項６】
前記距離感制御手段で高域の減衰された音響信号と、前記直接音側減衰手段で減衰された音響信号と、前記間接音生成手段で生成された間接音信号とを連動させて出力する連動出力手段を備えることを特徴とする請求項５に記載の音声調整卓。
【発明の詳細な説明】
【技術分野】
【０００１】
本発明は、音響信号をデジタル信号処理する音声調整卓および当該音声調整卓に組み込まれる音声調整回路に関する。
【背景技術】
【０００２】
従来、入力された音響信号をデジタル信号処理する音声調整卓が知られている（例えば、特許文献１参照）。この音声調整卓では、音源からの直接音である音響信号の間接音（反射音）を生成する目的のために、内蔵若しくは外付けのリバーブ回路と、このリバーブ回路に音響信号を送出する分岐回路とが備えられている。
【０００３】
本願発明者は、従来の音声調整卓に、直接音である音響信号と、リバーブ回路によって生成した間接音である音響信号とを入力して混合し、且つ、距離に応じて高域を減衰させる距離フィルタを、直接音（音響信号）側の経路にのみ設ける試みをしていた（特願２００３−２０８０１に記載した内容を参照）。
【０００４】
また、本願発明者は、直接音側に設けた距離フィルタ距離フィルタに、空気抵抗による高域減衰を模擬した特性を持たせ、この距離フィルタと直接音側のレベル調整とを連動させることで、音色の変化とレベルの減衰との相互作用によって、距離感の表現を行うことを試みていた。
【特許文献１】特開２００２−２９０３６０号公報（段落００１６〜００２５、図１）
【発明の開示】
【発明が解決しようとする課題】
【０００５】
しかしながら、この音声調整卓では、直接音（音響信号）側の経路のみに距離フィルタが設けられていたので、間接音については、音色調整（高域減衰）もレベル減衰も調整されず、十分遠方の音源の再現において、合成される再生音（直接音および間接音）の音色およびレベルが不自然となり、適切な距離感表現が得られにくいという問題がある。
【０００６】
なお、リバーブ回路からの出力に対して、距離フィルタを挿入することが想定されるが、この距離フィルタを制御するための制御ライン等が必要であり、装置構成が複雑になるという問題がある。
【０００７】
また、この音声調整卓で、聴取者から比較的に近い距離にある音源の距離感を表現するときには、高域減衰やレベル減衰よりも直間比（直接音と間接音との比率）が支配的であることから、特に、聴取者に極めて近い距離にある音源の距離感は、直接音のレベルの上昇に加えて間接音の比率を減少させるようにしなければ、表現できないという問題がある。
【０００８】
そこで、本発明では、前記した問題を解決し、装置構成を複雑にすることなく、適切な距離感表現された音響信号を出力することができる音声調整回路および音声調整卓を提供することを目的とする。
【課題を解決するための手段】
【０００９】
前記課題を解決するため、請求項１記載の音声調整回路は、音源から発せられた直接音とこの直接音が反射された間接音とを出力する音声調整回路であって、距離感制御手段と、直接音側減衰器と、間接音側減衰器と、間接音生成手段と、を備える構成とした。
【００１０】
かかる構成によれば、音声調整回路は、距離感制御手段によって、音源から聴取者までの距離感に応じて、直接音である音響信号の高域を減衰させ、直接音側減衰器によって、距離感制御手段で高域が減衰された高域減衰音響信号を減衰させて、直接音とする。続いて、音声調整回路は、間接音側減衰器によって、直接音側減衰器で減衰された直接音側減衰音響信号を減衰させ、間接音生成手段によって、間接音側減衰器で減衰された間接音側減衰音響信号から間接音を生成する。つまり、この音声調整回路では、距離感制御手段により、高域を減衰させ、直接音側減衰器によりレベルを減衰させ、さらに、間接音側減衰器によりレベルを減衰させた後、間接音を生成している。すなわち、間接音側減衰器によって直間比を設定し、距離感制御手段および直接音側減衰器によって、直接音（音響信号）および間接音となる音響信号の距離感を音色およびレベルの調整で行っている。
【００１１】
請求項２記載の音声調整回路は、音源から発せられた直接音とこの直接音が反射された間接音とを出力する音声調整回路であって、直接音側減衰器と、間接音側減衰器と、間接音生成手段と、分岐回路とを備え、前記分岐回路の前段の経路に、前記音源から聴取者までの距離感に応じて、前記音響信号の高域を減衰させる距離感制御手段を設けた構成とした。
【００１２】
かかる構成によれば、音声調整回路は、分岐回路によって、直接音である音響信号を直接音側減衰器に入力する経路と、間接音側減衰器に入力する経路とに分岐し、この間接音側減衰器に音響信号が入力される前に距離感制御手段によって、間接音となる音響信号の距離感を制御する。そして、音声調整回路は、距離感を制御した音響信号から間接音生成手段によって間接音を生成する。すなわち、音声調整回路は、直接音側減衰器、間接音側減衰器および距離感制御手段によって、空気吸収による音色変化、距離減衰によるレベル減衰および直間比の変更を調整することにより、音源から聴取者までの距離感が制御される。
【００１３】
つまり、距離感制御手段で、直接音である音響信号と、間接音側減衰器によって減衰されて生成される間接音との双方の音の距離感が制御される。なお、この距離感の制御された直接音と間接音とは、混合されて出力される。但し、この直接音と間接音との混合出力を行う手段（一般的にはミキサー）は、音声調整回路に含まれていても、含まれていなくてもよい。つまり、この音声調整回路が組み込まれる音声調整卓に、ミキサーが備えられていればよい。
【００１４】
請求項３記載の音声調整回路は、請求項２に記載の音声調整回路において、前記音源と前記聴取者との距離が予め設定した距離よりも近い近距離を示す場合に、前記距離感制御手段と前記直接音側減衰器と前記間接音側減衰器との出力を連動させる連動出力手段を備える構成とした。
【００１５】
かかる構成によれば、音声調整回路は、音源と聴取者との距離が近距離である場合、つまり、出力させた音響信号によって、聴取者から一定距離内に音像を定位させる場合、直接音側減衰器から出力させる直接音と、間接音側減衰器から出力させる間接音とを、連動出力手段によって連動させて出力させる。この連動とは、直接音側減衰器によるレベル減衰の減衰量と間接音側減衰器によるレベル減衰の減衰量とを逆連動（反比例）させることによって行われる。すなわち、この音声調整回路は、音源から聴取者までの距離が非常に近い場合、間接音（反射音）のレベルは一定であるのに対し、直接音のレベルが大きくなるという物理現象を、間接音を相対的に減衰させることによって模擬し、聴取者に音源が非常に近いという感覚を与えるものである。
【００１６】
請求項４記載の音声調整卓は、入力された音響信号にデジタル信号処理を施して出力する音声調整回路であって、入力手段と、距離感制御手段と、直接音側減衰手段と、間接音側減衰手段と、分岐回路とを備える構成とした。
【００１７】
かかる構成によれば、音声調整卓は、入力手段によって、任意の音源で発生された直接音である音響信号を入力する。続いて、音声調整卓は、距離感制御手段によって、音響信号の高域のレベルを減衰させることで、距離感を制御する。つまり、物理現象である音の空気吸収を模擬する形で、音響信号の高域を大きく減衰させれば、処理された音響信号を聴取する聴取者は、当該音響信号の音像が遠距離に定位することになり、音響信号の高域を小さく減衰させれば、聴取者は、当該音響信号の音像が近距離に定位することになる。そして、音声調整卓は、分岐回路によって、直接音である音響信号を間接音側減衰器に入力させるために分岐し、直接音側減衰手段によって、距離感制御手段で距離感の制御され分岐された音響信号の一方を、直接音として減衰し、間接音側減衰手段によって、距離感制御手段で距離感の制御され分岐された音響信号の他方を、間接音として減衰する。
【００１８】
請求項５記載の音声調整卓は、請求項４に記載の音声調整卓において、間接音側減衰手段で減衰された音響信号から間接音である間接音信号を生成する間接音生成手段を備える構成とした。
【００１９】
かかる構成によれば、音声調整卓は、間接音生成手段によって、間接音側減衰手段で減衰された音響信号から間接音（反射音）を生成する。その後、直接音である音響信号と、間接音（反射音）である間接音信号とが混合されて出力される。
【００２０】
請求項６記載の音声調整卓は、請求項５に記載の音声調整卓において、前記直接音側減衰手段で減衰された音響信号と、前記間接音生成手段で生成された間接音信号とを連動させて出力する連動出力手段を備えることを特徴とする。
【００２１】
かかる構成によれば、音声調整卓は、連動出力手段によって、直接音側減衰手段で減衰された音響信号と間接音信号とを連動させて出力する。
【発明の効果】
【００２２】
請求項１記載の発明によれば、装置構成を複雑にすることなく、直接音である音響信号と間接音との音色（高域減衰）を共通に、且つ、直接音と間接音とのレベルの比率を一定に保ちつつ、直接音と間接音との双方の音の距離感を制御することができる。
【００２３】
請求項２記載の発明によれば、距離感制御手段に連動して、直接音側減衰器によって、レベルを増減させることで、直接音と間接音との音色を共通に保ちつつ、直接音と間接音とのエネルギー比率を変え、直接音と間接音とが合成された音の距離感を制御することができる。
【００２４】
請求項３記載の発明によれば、距離感が近距離を示す場合、減衰器から出力された直接音と間接音との出力を連動させることで、適切な音色の間接音を含み、且つ、適切な直間比表現された音響信号を出力することができる。
【００２５】
請求項４記載の発明によれば、距離感制御手段によって当該音響信号の距離感を制御することができる。
【００２６】
請求項５記載の発明によれば、間接音生成手段により間接音（反射音）が生成されるので、直接音と間接音との双方の音の距離感を制御することができる。
【００２７】
請求項６記載の発明によれば、音響信号と間接音信号とを連動させて出力させるので、多様な距離感を生じさせる、臨場感のある音場を形成（再現）することができる。
【発明を実施するための最良の形態】
【００２８】
次に、本発明の実施形態について、適宜、図面を参照しながら詳細に説明する。この最良の形態の説明では、４つの実施形態（第一実施形態、第二実施形態、第三実施形態、第四実施形態）について、構成、動作の順に説明をする。
【００２９】
（音声調整回路の構成、第一実施形態）
図１は、音声調整回路（第一実施形態）のブロック図である。この図１に示すように、音声調整回路１は、音響信号をデジタル信号処理して編集、記録、出力等をする音声調整卓に組み込まれるもので、ヘッドアンプ３と、イコライザ５と、フェーダ７と、距離フィルタ９（距離感制御手段）と、直接音側可変減衰器１１（直接音側減衰器）と、反射音側可変減衰器１３（間接音側減衰器）と、リバーブ回路１５（間接音生成手段）と、混合回路１７と、音響信号記憶メモリ１９と、制御素子２１とを備えている。なお、特許請求の範囲で記載した入力手段は、ヘッドアンプ３、イコライザ５およびフェーダ７を統括したものである。また、この第一実施形態、図２を参照して説明する第二実施形態、図４を参照して説明する第三実施形態および図５を参照して説明する第四実施形態では、距離フィルタ９と、直接音側可変減衰器１１と、反射音側可変減衰器１３と、リバーブ回路１５とによって、音響信号を処理するラインを一つしか図示していないが、複数のラインを備えていてもよい。
【００３０】
これより、音声調整回路１の各構成について説明する。
ヘッドアンプ３は、複数のトランジスタ等によって構成されるもので、入力された音響信号（直接音）を規定のレベルまで増幅する（信号のエネルギーを大きくする）ものである。
【００３１】
イコライザ５は、ヘッドアンプ３で増幅された音響信号（直接音）の音色（周波数特性）を調整（補正、変更）するものである。
【００３２】
フェーダ７は、可変抵抗等から構成されるもので、この可変抵抗の抵抗値を変化させることで、イコライザ５で音色が調整された音響信号の音量レベルを調整（総括レベル制御）するものである。つまり、音響信号の全周波数帯域（全音声周波数成分）に亘る減衰を行うものである。
【００３３】
距離フィルタ９は、フェーダ７で減衰された音響信号について、帯域中の高域周波数成分の音量レベルを、所望の音像の距離に対応するように減衰させるものである。この距離フィルタ９のフィルタ特性は、音波の空気吸収の周波数特性を模擬したものである。
【００３４】
直接音側可変減衰器１１は、距離フィルタ９で高域が減衰された音響信号（出力信号）を、聴取者からの音像の距離に対応するように減衰させるものである。
【００３５】
また、この直接音側可変減衰器１１による距離感は、図７に示す“ｄｉｓｔａｎｃｅ”（ディスタンス）のカーブによって示したように、音の圧力である音圧によって定義することができる。すなわち、図７の“ｄｉｓｔａｎｃｅ”では、図７中、右端部に示した「近傍」より右側の位置を、聴取者の位置とすると、図７中、左端部に示した「無限遠点」に音源が存在する場合では、音圧が−３０ｄＢとなり、「無限遠点」から「１００ｍ」までに音源が存在する場合、音圧は−３０ｄＢ一定となる。また、音源が「１００ｍ」から「３ｍ」までに存在する場合は、音圧が上昇し、音源が「３ｍ」地点に存在する場合では、０ｄＢとなる。そして、「３ｍ」から「近傍」までに存在する場合は、音圧が上昇し、音源が「近傍」地点に存在する場合では、音圧は＋１０ｄＢとなる。
【００３６】
この直接音可変減衰器１１で設定する距離と、距離フィルタ９において設定した距離とを連動させることにより、音色とレベル減衰との相乗効果によって、聴取者に対し明確な距離感を与えることができる。なお、この直接音側可変減衰器１１は、直接音である音響信号をそのまま減衰させるものである。
【００３７】
反射音側可変減衰器１３は、直接音側可変減衰器１１で減衰された音響信号（直接音側減衰音響信号）の一方を、任意の減衰量だけ減衰させるものである。例えば、図７に示した“ａｕｘｓｅｎｄ”のカーブによって示したように、反射音側減衰音響信号を大きく減衰させることで、聴感上の音像を聴取者から極めて近い距離に定位させることができる。なお、この反射音側可変減衰器１３は、直接音である音響信号を減衰させて、反射音を生成するリバーブ回路１５への送り（経路）に設けられたものである。
【００３８】
リバーブ回路１５は、反射音側可変減衰器１３で任意の減衰量だけ減衰された音響信号から反射音（間接音）を生成（創成）するものである。この反射音（間接音）は音響信号が特定の空間で発せられた場合、当該空間を構成する壁面（反射面）で反射した際の「響きの信号」である。
【００３９】
混合回路１７は、直接音側可変減衰器１１で減衰された音響信号（直接音）と、リバーブ回路１５で生成された反射音（間接音）とを混合して出力するものである。なお、この混合回路１７は、音声調整回路１に含まれていなくてもよく、音声調整卓を構成する回路の一部として含まれていればよい。また、直接音側可変減衰器１１からの出力と、リバーブ回路１５からの出力とが関連付けられていれば、これらの直接音、反射音（間接音）は図示を省略した記録手段に別々に記録されていてもよい。
【００４０】
また、混合回路１７には、処理されたデジタル音響信号を出力する際に、任意の割合（音像を定位させたい割合）に分岐させるパン回路（図示せず）およびバス線（図示せず）が備えられている。
【００４１】
音響信号記憶メモリ１９は、不揮発性のメモリ等によって構成されており、入力された音響信号を記憶するものである。また、この音響信号記憶メモリ１９は、制御素子２１から出力された制御信号に従って、記憶している音響信号をヘッドアンプ３に送出する。すなわち、この音響信号記憶メモリ１９に音響信号を記憶させることで、一定パターンの音響信号を一旦記憶させてしまえば、逐一録音する必要がなくなる。
【００４２】
制御素子２１は、音響信号記憶メモリ１９に記憶された音響信号の再生スピードを変化させるもので、重み付け演算手段２１ａと、移動平均フィルタ２１ｂとを備えている。また、この制御素子２１によって、音響信号記憶メモリ１９に記憶されている音響信号を、順次遅らせて読み出して（読み出すスピードを調整して）、且つ、距離フィルタ９および直接音側可変減衰器１１を連動させれば、ドップラー効果に擬似した効果が得られる。この制御素子２１は音響信号記憶メモリ１９に制御信号を出力して、音響信号を読み出す。
【００４３】
重み付け演算手段２１ａは、距離フィルタ９によって高域の周波数を変化させるスピードに応じて、入力信号の再生スピードを変化させる（入力信号の周波数を変化させる）ものである。
【００４４】
移動平均フィルタ２１ｂは、音響信号を発生させる音源の移動（音源のスピード）に伴って、音響信号の周波数を変更させるものである。
【００４５】
この音声調整回路１によれば、ヘッドアンプ３に任意の音源で発生された直接音である音響信号が入力され、イコライザ５およびフェーダ７で減衰される。続いて、距離フィルタ９および直接音側可変減衰器１１で音響信号のレベルが増減されることで、距離感が制御される。そして、反射音側可変減衰器１３でレベルがさらに調整され、リバーブ回路１５で音響信号から反射音（間接音）が生成されて、その後、混合回路１７で直接音である音響信号と、反射音とが混合されて出力される。このため、反射音（間接音）が生成される経路に距離フィルタ９および反射音側可変減衰器１３が付加されているので、装置構成を複雑にすることなく、適切な距離感が表現された音響信号を出力することができる。
【００４６】
（音声調整回路の構成、第二実施形態）
図２は、音声調整回路（第二実施形態）のブロック図である。この図２に示すように、音声調整回路１Ａは、音響信号をデジタル信号処理して編集、記録、出力等をする音声調整卓に組み込まれるもので、ヘッドアンプ３と、イコライザ５と、フェーダ７と、距離フィルタ９（距離感制御手段）と、直接音側可変減衰器１１と、反射音側可変減衰器１３Ａと、リバーブ回路１５（反射音生成手段）と、混合回路１７と、音響信号記憶メモリ１９と、制御素子２１とを備えている。なお、図１に示した音声調整回路１の各構成と同一の構成については同じ符号を付してその説明を省略する。
【００４７】
反射音側可変減衰器１３Ａは、距離フィルタ９で減衰または増加された音響信号の他方を、任意の減衰量だけ減衰させるものである。なお、この反射音側可変減衰器１３は、直接音である音響信号を減衰させて、反射音を生成するリバーブ回路１５への送り（経路）に設けられたものである。
【００４８】
この音声調整回路１Ａによれば、ヘッドアンプ３に任意の音源で発生された直接音である音響信号が入力され、イコライザ５およびフェーダ７で減衰される。続いて、距離フィルタ９で音響信号の音色が調整されることで、距離による高域の減衰量の違いが制御される。距離フィルタ９の出力は、直接音側可変減衰器１１と反射音側可変減衰器１３Ａに分岐して与えられる。そして、リバーブ回路１５によって、音響信号から反射音（間接音）が生成されて、その後、混合回路１７で直接音である音響信号と、反射音（間接音）とが混合されて出力される。このため、例えば、図７に示したｄｉｓｔａｎｃｅを、直接音側可変減衰器１１の特性を示すカーブと、ａｕｘｓｅｎｄを、反射音側可変減衰器１３の特性を示すカーブとすることにより、装置構成を複雑にすることなく、近い距離から遠い距離までに位置する音原からの音色と、直間比とが適切に設定され、結果として、適切な距離感が表現された音響信号を出力することができる。
【００４９】
（音声調整回路の動作）
次に、図３に示すフローチャートを参照して、音声調整回路１の動作について説明する（適宜、図１参照）。
まず、音響調整回路１のヘッドアンプ３に音響信号を入力する（Ｓ１）。すると、このヘッドアンプ３は、入力された音響信号を規定のレベルまで増幅する（Ｓ２）。続いて、音響調整回路１は、イコライザ５によって、音響信号の周波数成分（信号周波数成分）を調整させる（Ｓ３）。また、音声調整回路１は、フェーダ７によって、音量レベルを調整させる（Ｓ４）。
【００５０】
そして、この音声調整回路１は、距離フィルタ９によって、音響信号の高域音声周波数成分を減衰させる（Ｓ５）。また、音声調整回路１は、直接音側可変減衰器１１によって、直接音の音量レベル（直接音側レベル）を減衰し（Ｓ６）、反射音側可変減衰器１３によって、反射音となる音量レベル（反射音側レベル）を減衰する（Ｓ７）。
【００５１】
その後、この音声調整回路１は、リバーブ回路１５によって、音響信号から反射音（間接音）を生成する（Ｓ８）。さらに、この音声調整回路１は、混合回路１９によって、直接音である音響信号、リバーブ回路１５で生成した反射音とを混合（合成）して出力する（Ｓ９）。
【００５２】
なお、第二実施形態の音声調整回路１Ａの動作では、距離フィルタ９から出力された音響信号が反射音側可変減衰器１３Ａで減衰されることになる。
【００５３】
（音声調整回路の構成、第三実施形態）
図４は、音声調整回路（第三実施形態）のブロック図である。この図４に示すように、音声調整回路１Ｂは、音響信号をデジタル信号処理して編集、記録、出力し、さらに、距離フィルタ９と直接音側可変減衰器１１とを連動することにより、直接音の距離減衰による調整を効果的なものとし、音の距離感を容易に実現させるもので、ヘッドアンプ３と、イコライザ５と、フェーダ７と、距離フィルタ９（距離感制御手段）と、直接音側可変減衰器１１と、反射音側可変減衰器１３と、リバーブ回路１５（反射音生成手段）と、混合回路１７と、音響信号記憶メモリ１９と、制御素子２１と、連動出力手段２３Ｂとを備えている。図１で説明した音声調整回路１の構成と同じものは、同一の符合を付してその説明は省略する。
【００５４】
連動出力手段２３Ｂは、距離フィルタ９と、直接音側可変減衰器１１とを連動させることによって、音響信号の全周波数帯域に亘る音量レベルと、帯域中の高域周波数成分の音量レベルとを連動させて減衰または増加させると共に、音響信号の一方（直接音）を調整し、出力させるものである。
【００５５】
この音声調整回路１Ｂによれば、連動出力手段２３Ｂによって、直接音である音響信号の高域減衰とレベル調整とを連動させることによって、より効果的な音の遠近感を得ることができる。また、反射音側可変減衰器１３によって、反射音（間接音）のレベル調整をし、混合回路１７によって、合成することにより、より自然な音響信号を生成することができる。
【００５６】
（音声調整回路の構成、第四実施形態）
図５は、音声調整回路（第二実施形態）のブロック図である。この図５に示すように、音声調整回路１Ｃは、音響信号をデジタル信号処理して編集、記録、出力し、さらに、直接音と間接音にとによる直間比を連動して調整し、音の距離感を容易に実現させるもので、ヘッドアンプ３と、イコライザ５と、フェーダ７と、距離フィルタ９（距離感制御手段）と、直接音側可変減衰器１１と、反射音側可変減衰器１３Ａと、リバーブ回路１５（反射音生成手段）と、混合回路１７と、音響信号記憶メモリ１９と、制御素子２１と、連動出力手段２３Ｃとを備えている。図２で説明した音声調整回路１Ａの構成と同じものは、同一の符合を付してその説明は省略する。
【００５７】
連動出力手段２３Ｃは、距離フィルタ９と、直接音側可変減衰器１１と、反射音側可変減衰器１３Ａとを連動させて、音響信号の全周波数帯域に亘る音量レベルと、帯域中の高域周波数成分の音量レベルとを連動させて減衰または増加させると共に、音響信号の一方（直接音）および音響信号の他方（反射音への送り）を連動して調整し、出力させるものである。
【００５８】
この音声調整回路１Ｃによれば、連動出力手段２３Ｃによって、直接音である音響信号と反射音（間接音）成分とを連動させることによって、音響信号を発生する音源が聴取者から極めて近距離にある場合に、反射音成分を調整して、響きのない音響信号を再生し、聴感上、音源が聴取者から極めて近い印象を当該聴取者に与えることができるものである。
【００５９】
（音声調整回路の動作、第三実施形態）
次に、図６に示すフローチャートを参照して、音声調整回路１Ｂの動作について説明する（適宜、図４参照）。
まず、音響調整回路１Ｂのヘッドアンプ３に音響信号を入力する（Ｓ１１）。すると、このヘッドアンプ３は、入力された音響信号を規定のレベルまで増幅する（Ｓ１２）。続いて、音響調整回路１Ｂは、イコライザ５によって、音響信号の周波数成分（信号周波数成分）を調整させる（Ｓ１３）。また、音声調整回路１Ｂは、フェーダ７によって、音量レベルを調整させる（Ｓ１４）。
【００６０】
そして、この音声調整回路１Ｂは、連動出力手段２３Ｂによる制御に基づいて、距離フィルタ９によって、音響信号の高域音声周波数成分を減衰させると共に、直接音側可変減衰器１１によって、直接音の音量レベル（直接音側レベル）を減衰する。つまり、音声調整回路１Ｂは、連動出力手段２３による制御により、高域音声周波数成分と、直接音側レベルと、を連動させて調整する（Ｓ１５）。
【００６１】
その後、この音声調整回路１Ｂは、リバーブ回路１５によって、音響信号から反射音（間接音）を生成する（Ｓ１６）。さらに、この音声調整回路１Ｂは、混合回路１９によって、直接音である音響信号、リバーブ回路１５で生成した反射音とを混合（合成）して出力する（Ｓ１７）。
【００６２】
なお、第四実施形態の音声調整回路１Ｃでは、Ｓ１５にて、連動出力手段２３Ｃによる制御に基づいて、距離フィルタ９によって、音響信号の高域音声周波数成分を減衰させると共に、直接音側可変減衰器１１によって、直接音の音量レベル（直接音側レベル）を減衰し、さらに、反射音側可変減衰器１３Ａによって、反射音となる音響信号の音量レベル（反射音側レベル）を減衰する。つまり、音声調整回路１Ｃは、連動出力手段２３Ｃによる制御により、高域音声周波数成分と、直接音側レベルと、反射音側レベルとを連動させて調整する。
【００６３】
（補足、音源からの聴取位置と音圧との関係について）
次に、図７を参照して、音源から聴取者までの位置（聴取位置）と音響信号の音圧との関係について説明する。なお、この音源から聴取者までの位置（聴取位置）と音響信号の音圧との関係は、音声調整回路１の距離フィルタ９によって調整される音源からの聴取者までの距離（距離感）に対応するものである（ｄｉｓｔａｎｃｅについては距離フィルタ９の構成部分で説明している）。
【００６４】
この図５に示したように“ｆａｄｅｒ（フェーダ）”（音のレベル）では、音源が聴取者から無限遠点にある場合は、音圧も−∞（無限大）ｄＢになり、音源が聴取者から１００ｍまで近づくと、音圧は０ｄＢとなり、音源が聴取者の近傍に近づいても音圧は０ｄＢのままである。この“ｆａｄｅｒ（フェーダ）”は、音源のレベルを調整する際の関係を示すもので、調整される減衰値は、一般に音源から聴取者までの距離（音源距離）とは無関係に調整される。しかし、音源が聴取者から極めて遠い場所に位置する場合には、この関係に従って、減衰値を大きくすることで、直接音側、反射音側の両方の音響信号を同じ比率で減衰させることを示している。
【００６５】
また、“ｄｉｓｔａｎｃｅ（ディスタンス）”（音の距離感）では、音源が聴取者から無限遠点にある場合は、音圧は−３０ｄＢであり、音源が聴取者から１００ｍまで近づくまで一定であり、音源が聴取者から３ｍ（通常、スピーカが配置される位置）まで近づくと、音圧は０ｄＢとなり、音源が聴取者に近づいてくるに従い、音圧は上昇し、聴取者の近傍では、音圧は１０ｄＢになる。この“ｄｉｓｔａｎｃｅ（ディスタンス）”は、直接音側のレベルを調整する際のカーブを示すものである。
【００６６】
さらに、“ａｕｘｓｅｎｄ”（反射音送り）では、音源が聴取者から無限遠点にある場合は、音圧は０ｄＢであり、音源が聴取者から３ｍまで近づくまで一定であり、音源が３ｍから聴取者に近づいてくるに従い、音圧が下降し、聴取者の近傍では、音圧は−∞（無限大）ｄＢになる。この“ａｕｘｓｅｎｄ”（反射音送り）は、反射音のレベルを調整する際のカーブを示すもので、音源が聴取者に極めて近い場合に、反射音を相対的に減じるために、“ｄｉｓｔａｎｃｅ（ディスタンス）”と逆連動して、減衰量を大きくすることを示している。
【００６７】
以上、本発明の実施形態について説明したが、本発明は前記実施形態には限定されない。例えば、本実施形態では、音声調整回路１（１Ａ、１Ｂ、１Ｃ）として説明したが、当該回路１の各構成の処理を汎用的なコンピュータ言語で記述した音声調整プログラムとみなすことも可能である。この場合、音声調整回路１と同様の効果を得ることができる。
【００６８】
また、音声調整回路１（１Ａ、１Ｂ、１Ｃ）を組み込んだ音声調整卓として構成してもよい。なお、この場合、リバーブ回路１４（間接音生成手段）は、当該音声調整卓に一体に組み込んでもいいし、別体の回路（装置）として外付けしてもよい。
【図面の簡単な説明】
【００６９】
【図１】第一実施形態に係る音声調整回路のブロック図である。
【図２】第二実施形態に係る音声調整回路のブロック図である。
【図３】図１に示した音声調整回路の動作を説明したフローチャートである。
【図４】第三実施形態に係る音声調整回路のブロック図である。
【図５】第四実施形態に係る音声調整回路のブロック図である。
【図６】図４に示した音声調整回路の動作を説明したフローチャートである。
【図７】音源からの聴取位置と音圧との関係について説明した図である。
【符号の説明】
【００７０】
１、１Ａ、１Ｂ、１Ｃ  音声調整回路
３                    ヘッドアンプ（入力手段の一要素）
５                    イコライザ（入力手段の一要素）
７                    フェーダ（入力手段の一要素）
９                    距離フィルタ（距離感制御手段）
１１                  直接音側可変減衰器（直接音側減衰器）
１３、１３Ａ          反射音側可変減衰器（間接音側減衰器）
１５                  リバーブ回路（間接音生成手段）
１７                  混合回路
１９                  音響信号記憶メモリ
２１                  制御素子
２１ａ                重み付け演算手段
２１ｂ                移動平均フィルタ
２３Ｂ、２３Ｃ        連動出力手段
【図１】
2005221792.tif 000003
【図２】
2005221792.tif 000004
【図３】
2005221792.tif 000005
【図４】
2005221792.tif 000006
【図５】
2005221792.tif 000007
【図６】
2005221792.tif 000008
【図７】
2005221792.tif 000009